(57)【特許請求の範囲】
【請求項１】
本体の先端に上昇しながら回転し降下しながら戻り回転するよう設けられたテーパー筒と、該テーパー筒により移動するよう本体内に上下動可能に設けられ摺動筒ばねにより下方に付勢された摺動筒と、該摺動筒内に上下動可能に挿入され摺動筒内に入り込む方向に移動したとき締着され摺動筒から抜け出す方向に移動したとき開放されるチャックと該チャックに連結されるチャック駒と該チャック駒を上方に引き上げてチャックを摺動筒内に引き込む方向に付勢するチャックばねを有する筆記チャック部と、本体内に上下動可能に設けられ先端に上記チャック駒に当接可能な押圧端と開閉可能な送りチャック部を有し芯タンクばねにより上方に付勢された芯タンクと、該芯タンクが上昇したとき送りチャック部を開き、芯タンクを降下させた際上記送りチャック部を閉じるよう本体内に形成された摺接壁を具備し、上記テーパー筒の上昇により摺動筒が上昇し上昇の途中で上記摺接壁の下端に当たってチャック駒の上昇動を停止させるようチャック駒にはストッパーが設けられており、チャック駒の上昇動が停止した後の摺動筒の上昇により上記チャックの下端が摺動筒から抜け出してチャックは開放され、芯は自重で落下し、摺動筒ばねにより上記摺動筒、テーパー筒が降下するとき上記チャックの下端が摺動筒内に入り込んでチャックが締着されて芯を把持し、残芯を排除する際、上記芯タンクを降下させて上記送りチャック部を閉じて次の芯を把持したのち上記チャック駒を押し下げチャックを摺動筒から抜け出す方向に移動し上記筆記チャック部を開放して残芯を排除するようにしたシャープペンシル。
【請求項２】
上記芯タンクには掛止ピンが設けられ、本体には該掛止ピンが係合する掛止孔が形成され、該掛止孔には掛止ピンの移動をロックする係止部が設けられている請求項１に記載のシャープペンシル。
【請求項３】
上記掛止ピンは芯タンクに設けた弾性片に形成されている請求項２に記載のシャープペンシル。
【請求項４】
上記送りチャック部には球面状の頭部が形成されている請求項１に記載のシャープペンシル。
【請求項５】
上記摺接壁は本体に軸方向に延びる複数の突片で構成されている請求項１に記載のシャープペンシル。
【請求項６】
上記テーパー筒はテーパーピンを有し、本体の先端に設けたテーパーガイドに挿通され、該テーパーピンは本体の内面に形成された案内溝に沿って上昇しながら回転しテーパーガイドに形成されたガイドカムに沿って降下しながら戻り回転し、上記テーパー筒と摺動筒には上記テーパー筒が上昇する際摺動筒及び筆記チャック部を上昇させるよう噛み合い、該テーパー筒が戻り回転した際、摺動筒および筆記チャック部が降下するよう嵌り合うテーパーカムと摺動カムが設けられている請求項１に記載のシャープペンシル。
【請求項７】
上記案内溝は周方向に傾斜して延びる回転案内面と軸方向に延びる長溝状案内面を有し、上記ガイドカムは周方向に傾斜する傾斜面と軸方向に延びるストッパー面を有する請求項６に記載のシャープペンシル。
【請求項８】
上記テーパーカムは山形状の凸部と平面部を有し、上記摺動カムはテーパーカムの凸部が摺動する平面部と該凸部が嵌合する凹部を有する請求項６に記載のシャープペンシル。
【発明の詳細な説明】
【技術分野】
【０００１】
本発明は、先端をノックすることにより芯を繰り出すようにした先端ノック式のシャープペンシルに関するものである。
【背景技術】
【０００２】
先端ノック式シャープペンシルとしては、各種機構が知られており、その中で先端をノックした際、軸筒の先端に設けた筆記筒が上昇しながら回転して芯のチャック部を開放し、ノックを停止した際、該筆記筒が戻り回転しながら降下して自由落下した芯をチャック部で握持して芯を筆記位置に繰り出しできるようにしたシャープペンシルが提案されている（例えば特許文献１参照）。
【０００３】
しかし、この特許文献１に記載のシャープペンシルは、筆記により短くなった残芯を自重により自然落下させて筆記筒から排出するよう構成しているが、確実に排除できるような構成になっていない。すなわち、この機構では筆記筒が戻り回転して降下する際、チャック部が閉じるので、短くなった芯は後部がチャック部で保持されたままであり、筆記筒の先端を紙面から離しても自重で落下しない場合が多い。また、通常、シャープペンシルは筆記開始の際、芯の先端が芯保護パイプの先端から少し突出していると筆記しやすいが、特許文献１に記載のものは、芯を繰り出したとき、芯保護パイプと芯の先端は同一面に位置しており、そのような構成になっていない。
【先行技術文献】
【特許文献】
【０００４】
【特許文献１】特開昭５８−８２７９５号公報（特許請求の範囲、図面）
【発明の概要】
【発明が解決しようとする課題】
【０００５】
本発明の解決課題は、上下動操作により軸筒の先端に設けたテーパー筒が回転上昇しかつ戻り回転しながら降下することにより自由落下で芯を繰り出すようにしたシャープペンシルにおいて、残芯を確実に排除できるようにしたシャープペンシルを提供することであり、さらに筆記開始時に芯の先端が芯保護パイプの先端から少し突出するようにしたシャープペンシルを提供することである。
【課題を解決するための手段】
【０００６】
本発明によれば、本体の先端に上昇しながら回転し降下しながら戻り回転するよう設けられたテーパー筒と、該テーパー筒により移動するよう本体内に上下動可能に設けられた摺動筒と、該摺動筒内に上下動可能に挿入され摺動筒内に入り込む方向に移動したとき締着され摺動筒から抜け出す方向に移動したとき開放されるチャックと該チャックに連結されたチャック駒を有する筆記チャック部と、本体内に上下動可能に設けられ先端に上記チャック駒に当接可能な押圧端と開閉可能な送りチャック部を有する芯タンクと、該芯タンクを降下させた際上記送りチャック部を閉じるよう本体内に形成された摺接壁を具備し、残芯を排除する際、上記芯タンクを降下させて上記送りチャック部を閉じ次の芯を把持したのち上記チャック駒を押し下げチャックを摺動筒から抜け出す方向に移動し上記筆記チャック部を開放して残芯を排除するようにしたシャープペンシルが提供され、上記課題が解決される。
【０００７】
また、本発明によれば、上記テーパー筒はテーパーピンを有し、本体の先端に設けたテーパーガイドに挿通され、該テーパーピンは本体の内面に形成された案内溝に沿って上昇しながら回転しテーパーガイドに形成されたガイドカムに沿って降下しながら戻り回転し、上記テーパー筒と摺動筒には上記テーパー筒が上昇する際、摺動筒及び筆記チャック部を上昇させ、該テーパー筒が戻り回転した際、摺動筒および筆記チャック部が降下するよう噛み合うテーパーカムと摺動カムが設けられている上記シャープペンシルが提供される。
【発明の効果】
【０００８】
本発明は上記のように構成され、本体の先端に上昇しながら回転し降下しながら戻り回転するよう設けられたテーパー筒と、該テーパー筒により移動するよう本体内に上下動可能に設けられた摺動筒と、該摺動筒内に上下動可能に挿入され摺動筒内に入り込む方向に移動したとき締着され摺動筒から抜け出す方向に移動したとき開放されるチャックと該チャックに連結されたチャック駒を有する筆記チャック部と、本体内に上下動可能に設けられ先端に上記チャック駒に当接可能な押圧端と開閉可能な送りチャック部を有する芯タンクと、該芯タンクを降下させた際上記送りチャック部を閉じるよう本体内に形成された摺接壁を具備し、残芯を排除する際、上記芯タンクを降下させることにより上記送りチャック部を閉じて次の芯を把持したのち上記チャック駒を押し下げチャックを押し出す方向に移動し上記筆記チャック部を開放し残芯を排除するようにしたから、残芯を排除する際、芯タンクをノックすると筆記チャック部が移動して残芯の保持を開放する。したがって、残芯は何ら拘束されていないので、自由落下により支障なく自重で落下する。この際、次の芯は送りチャック部に把持されているので、残芯と一緒に落下することはない。
【０００９】
また、上記テーパー筒にテーパーピンを設け、本体の先端に設けたテーパーガイドにテーパー筒を挿通し、本体の内面に形成した案内溝に沿ってテーパーピンを上昇させながらテーパー筒を回転させ、テーパーガイドに形成されたガイドカムに沿って該テーパーピンを降下させながらテーパー筒を戻り回転させ、上記テーパー筒と摺動筒に上記テーパー筒が上昇する際摺動筒及び筆記チャック部を上昇させ該テーパー筒が戻り回転した際、摺動カムおよび筆記チャック部を降下させるようテーパーカム及び摺動カムを設けると、テーパー筒が戻り回転して筆記チャック部で芯を把持した状態で該筆記チャック部がさらに降下するので、相対的に芯の先端はテーパー筒の先端よりも下方に突出する。したがって、通常のように該テーパー筒に芯保護パイプを設けてあっても、芯を芯保護パイプの先端から少し突出させることができ、筆記しやすくできる。
【図面の簡単な説明】
【００１０】
【図１】本発明の一実施例を示す正面図。
【図２】本体の一部拡大断面図。
【図３】本体を示し、（Ａ）は正面図、（Ｂ）は掛止孔に沿った断面図、（Ｃ）は掛止孔の内面側から見た状態の断面図。
【図４】テーパーガイドを示し、（Ａ）は平面図、（Ｂ）は正面図、（Ｃ）は側面図。
【図５】テーパー筒を示し、（Ａ）は平面図、（Ｂ）は正面図。
【図６】摺動筒を示し、（Ａ）は平面図、（Ｂ）は正面図、（Ｃ）は側面図。
【図７】チャック駒を示し、（Ａ）は平面図、（Ｂ）は半断面図。
【図８】芯タンクを示し、（Ａ）は正面図、（Ｂ）は側面図、（Ｃ）は底面図。
【図９】筆記時を示し、（Ａ）は一部の断面図、（Ｂ）はカム部分の説明図、（Ｃ）はカム部分を展開して示す説明図。
【図１０】テーパー筒が上昇し始めた状態を示し、（Ａ）は一部の断面図、（Ｂ）はカム部分の説明図、（Ｃ）はカム部分を展開して示す説明図。
【図１１】チャック駒の移動が停止した状態を示し、（Ａ）は一部の断面図、（Ｂ）はカム部分の説明図、（Ｃ）はカム部分を展開して示す説明図。
【図１２】テーパー筒が降下し始めた状態を示し、（Ａ）は一部の断面図、（Ｂ）はカム部分の説明図、（Ｃ）はカム部分を展開して示す説明図。
【図１３】テーパー筒が降下した状態を示し、（Ａ）は一部の断面図、（Ｂ）はカム部分の説明図、（Ｃ）はカム部分を展開して示す説明図。
【図１４】図１３に示す状態から摺動筒がさらに降下した状態を示し、（Ａ）は一部の断面図、（Ｂ）はカム部分の説明図、（Ｃ）はカム部分を展開して示す説明図。
【図１５】芯タンクのロックを解除した状態を示し、（Ａ）は一部の正面図、（Ｂ）は一部の断面図。
【図１６】図１５に示す状態から芯タンクをノックしたときの断面図。
【図１７】芯タンクの送りチャック部が芯を把持した状態を示す断面図。
【図１８】芯タンクの押圧端がチャック駒を押し下げている状態を示す断面図。
【発明を実施するための形態】
【００１１】
図１、図２を参照し、本発明のシャープペンシルは、本体１の後端から芯タンク２が挿入され、本体１の先端にはテーパーガイド３があり、このテーパーガイド３内に上下動かつ回転可能にテーパー筒４が挿入されている。そして、このテーパー筒４の内方には摺動筒５が挿入され、摺動筒５内にはチャックリング６を有するチャック７と該チャック７に連結したチャック駒８が挿入され、筆記チャック部９が構成されている。
【００１２】
上記本体１は、筒状に形成され、図３に示すように、芯タンク２の上下動をロックするよう少し軸方向に延びる係止部１０と、ロックを解除した際、芯タンクを上下動できるよう上端が該係止部１０に連通し軸方向に広がる可動部１１を周方向にずらして設けた掛止孔１２が形成され、先部には係止溝１３および係止段部１４を形成してあり、上記テーパーガイド３が挿入固着される。また、本体の内面には、周方向に延びる傾斜する回転案内面１５と軸方向に延びる長溝状案内面１６を有する案内溝１７が形成されている。案内溝１７の、図３において上方には上記摺動筒５を回り止め状態で上下動可能に案内する案内突起１８が形成されている。さらに、この案内突起１８よりも図３において上方には、本体１の内面から突出する摺接壁１９が設けられている。該摺接壁１９は複数の突片で構成され、その突出高さは、摺接壁の内方端により形成される本体の内径が、図３、（Ｂ）、（Ｃ）に示すように上方が次第に広く、下方が狭くなるように変化しているが、本体の内径を変化させて径大部と径小部を直接形成するようにしてもよい（図示略）。
【００１３】
上記テーパーガイド３は、回り止め状態で本体１に装着固定できるよう上記係止溝１３に係合する係止突起２０と、上記係止段部１４に係合する係止段部２１が設けられている。図４において、テーパーガイド３の上端には周方向に傾斜する傾斜面２２と、該傾斜面２２の基端から周方向に変位した位置から軸方向、図において上方に立ち上がるストッパー面２３を有するガイドカム２４が形成されている。
【００１４】
上記テーパー筒４は、図５に示すように、先端がテーパーした筒状体に形成され、外面に上記本体１の案内溝１７とテーパーガイド３のガイドカム２４間に挿入されるテーパーピン２５を有し、先端には図２に示すように芯保護パイプ２６が設けられている。該芯保護パイプはテーパー筒と一体成形してもよい。テーパー筒４が上昇するとき、テーパーピン２５は上記案内溝１７の回転案内面１５に沿って移動し、これによりテーパー筒４は上昇しながら回転する。そして、テーパーピン２５が上記長溝状案内面１６に入り込むと、テーパー筒４は回転せずに上下動可能となる。テーパー筒４の内面には、図２に示すように、上記チャックリング６や摺動筒５の下端が当接可能な段部２７と、後記するように上記チャック７が降下して際、その先端が当接して該チャック７の先端を押し広げることができるよう筒状部２８が形成されている。また、該テーパー筒４の上端には山形状の凸部２９と略フラットな平面部３０を有するテーパーカム３１が形成されている。
【００１５】
上記摺動筒５は筒状に形成され、図６に示すように、上方に上記本体１の内面に設けた案内突起１８に摺動可能に係合するガイド溝３２を有するフランジ３３が形成されている。フランジ３３の下方には、上記テーパー筒４のテーパーカム３１に係合する凹部３４と平面部３５を有する摺動カム３６が設けられている。これらのカムは、テーパー筒４が回転した際、テーパーカム３１の凸部２９が摺動カム３６の平面部３５に接した状態で噛み合って摺動筒５が押し上げられ、またテーパー筒４が戻り回転した際、テーパーカム３１の凸部２９が摺動カム３６の凹部３４に嵌り合って摺動筒５が降下するようテーパーカム３１と摺動カム３６はほぼ逆向きの同形状に形成されている。また、上記テーパーカム３１と摺動カム３６が常時接触状態を保つよう該摺動筒５は、摺動筒ばね３７により図２において下方に付勢されている。
【００１６】
上記摺動筒５に挿入されるチャック駒８には、下端に先端が拡開可能に分割されたチャック７が挿入固着され、上端が上記本体１の摺接壁１９の内方に差し込み可能な形状、長さに形成されている。図に示す実施例ではチャック駒８とチャック７は別体に形成して摺動筒５に装着しているが、チャックとチャック駒を一体成形してから取り付けるようにすることもできる。該チャック駒８と摺動筒５の内面に設けた内方段部３８の間には、チャック駒８および筆記チャック部９を、図２において上方に引き上げ、摺動筒内に入り込む方向に移動させたとき、チャックリング６によりチャック７を締着でき、摺動筒５から抜け出す方向に移動させたときチャック７を開放できるようチャックばね３９を設けて筆記チャック部９を構成している。チャック駒８の上部には、チャック駒８が上昇したとき、摺接壁１９の下端に当たってその上昇動を停止させるようストッパー４０が設けられている。なお、上記チャックリング６は摺動筒５と別体に形成して摺動筒５とともに移動するよう装着してあるが、摺動筒５と一体成形して省略してもよい。また、上記チャックばね３９を、摺動筒５の上端とストッパー４０間に設けたり、チャック駒が上昇したとき上記ストッパー４０が当たる突起等を本体内に設けてもよい（図示略）。
【００１７】
上記芯タンク２は、上方に消しゴム４１を有し、所望によりキャップ（図示略）が装着される。また、その側面には、図８に示すように、タンク壁の一部を切り欠いて形成した弾性片４２に上記掛止孔１２に入り込む掛止ピン４３を設けてある。該芯タンク２は、芯タンクばね４４により上方に付勢され、掛止ピン４３が掛止孔１２の係止部１０に係合しているときロック状態で上昇位置に保持される。該芯タンク２を回転して上記掛止ピン４３を掛止孔１２の可動部１１に対応させてロックを解除すると、芯タンク２は軸方向に上下動させることができる。該芯タンク２の下方には、拡開可能に形成された送りチャック部４５が形成され、該送りチャック部４５の下端が上記チャック駒８の上端に当接可能な押圧端４６となっている。該送りチャック部４５の外周には球面状の頭部４７が形成され、上記摺接壁１９により形成される内径が広い径大部４８に頭部４７が対応しているときは、芯４９を把持していないので、芯４９は自由落下する。送りチャック部４５が降下して摺接壁１９により構成される内径が小さい径小部５０に頭部４７が対応すると、該摺接壁１９により送りチャック部４５は縮径され、芯タンク２から送り出される次の芯４９は把持される。
【００１８】
本発明のシャープペンシルの動作を説明すると、筆記状態では、図９に示すように、芯４９は筆記チャック部９に把持され、テーパー筒４、摺動筒５を介し摺動筒ばね３７により筆圧を受けて筆記可能となっている。この状態では、図９（Ｂ）、（Ｃ）に示すように、テーパーカム３１と摺動カム３６は嵌り合っており、テーパーピン２５はテーパーガイド３のガイドカム２４のストッパー面２３に位置している。このとき、芯タンク２は掛止ピン４３を掛止孔１２の係止部１０に係合させることにより、上昇位置でロックされており、ノック誤操作が防止される。
【００１９】
筆記に伴って芯保護パイプ２６が紙面５１に当たってテーパー筒４が上昇すると、テーパーピン２５は本体１の案内溝１７の回転案内面１５に沿って回転しながら上昇するから、テーパー筒４が回転上昇し、テーパーカム３１の凸部２９が摺動カム３６の平面部３５に対応すると、摺動筒５やチャック駒８はテーパー筒４よりも上昇し、テーパー筒４の段部２７と摺動筒５の下端間の空間が次第に広がってくる（図１０参照）。
【００２０】
さらに上昇すると、チャック駒８のストッパー４０が、本体１に形成した上記摺接壁１９の下端に当たり、チャック駒８の上昇動は停止する。テーパーピン２５が長溝状案内面１６間に入り込む位置までテーパー筒４が上昇すると、テーパー筒４に押されて摺動筒５は、チャック駒８を移動させることなく、さらに上昇する（図１１参照）。その結果、チャック７の下端は、相対的に摺動筒５から抜け出す方向に移動したことになるので、チャック７は開放され、芯は自重で落下する。なお、摺動筒５が上昇するとき、上記チャックリング６が摺動筒５に保持されて一緒に上昇するようチャックリング６は摺動筒５に嵌合している。
【００２１】
本体１を紙面５１に押しつけている力を開放すると、摺動筒ばね３７の作用により摺動筒５およびテーパー筒４が降下し、チャック７は再び締着されて、芯４９は把持される（図１２）。この際、チャック７がチャックリング６内に入り込むことにより、いわゆる息つき現象により芯４９の先端が芯保護パイプの先端２６より少し引き込まれることがある。
【００２２】
テーパー筒４のテーパーピン２５が本体１に形成した上記案内溝１７の長溝状案内面１６から外れる位置まで降下すると、該テーパーピン２５はテーパーガイド３のガイドカム２４の傾斜面２２に当たりながら降下し、それによりテーパー筒４は戻り回転する（図１３）。この回転により、テーパーカム３１の凸部２９は摺動カム３６の平面部３５を滑りながら摺動カム３６の凹部３４に向けて噛み合い位置が次第にずれる。
【００２３】
テーパーピン２５がガイドカム２４のストッパー面２３に当たる位置までテーパー筒４が回転すると、摺動カム３６の凹部３４とテーパーカム３１の凸部２９は噛み合い、摺動筒ばね３７に付勢されて摺動筒５及びチャック駒８、チャック７は芯４９を把持した状態でさらに降下するから、芯４９の先端は芯保護パイプ２６の先端から少し突出する（図１４）。これにより、快適に筆記することができる。
【００２４】
上記のようにして、筆記を続けることができるが、芯の残りが少なくなっても、そのような残芯５２は筆記チャック部９に保持されたままの状態であるから、自重で落下しにくくなる。この時には、残芯５２を排除する操作をする。この操作は、芯タンク２を回転して掛止ピン４３のロックを解除し、該掛止ピン４３を掛止孔１２の可動部１１に位置させた後、該芯タンク２をノックするだけでよい。すなわち、図１５に示すように、芯タンクのロックを解除してから、芯タンク２をノックして降下させると、送りチャック部４５は摺接壁１９の内径の広い径大部４８を通過し（図１６）、次第に内径の狭い径小部５０に移動する。その結果、図１７に示すように送りチャック部４５は閉じられ、芯タンク２から供給されてくる次の芯４９を把持する。
【００２５】
さらに芯タンク２が降下すると、送りチャック部４５の先端に設けた押圧端４６がチャック駒８の後端に当たり、該チャック駒８を押し、チャック７を摺動筒５から抜け出す方向に押圧する。このとき、図１８に示すように摺動筒５はテーパー筒４及びテーパーガイド３を介して下方位置で移動が停止しているから、チャック駒８を介してチャック７だけが降下し、チャック７は拡開して残芯５２の把持を開放する。それにより、チャック７に把持されていた残芯５２は自重で確実に落下する。この際、チャック７の先端がテーパー筒４の筒状部２８に当って積極的に拡開されるようにすれば、一層確実に残芯５２を排除することができる。また、残芯５２が落下するとき、次の芯４９は送りチャック部４５で把持されているから、一緒に落下するおそれはない。
【００２６】
芯タンク２のノックを停止すると、芯タンク２は芯タンクばね４４により上昇するから、掛止ピン４３が掛止孔１２の可動部１１の上端に当たったとき芯タンクを回転させて掛止ピン４３を係止部１０に係合させ、芯タンク２をロック状態にする。芯タンク２が上昇すると、チャック駒８は押圧が解除されるから、チャックばね３９により上昇し、自重で落下した芯４９は筆記チャック部９で把持され、筆記することができる。
【符号の説明】
【００２７】
１    本体
２    芯タンク
３    テーパーガイド
４    テーパー筒
５    摺動筒
７    チャック
８    チャック駒
９    筆記チャック部
１２  掛止孔
１７  案内溝
１９  摺接壁
２４  ガイドカム
２５  テーパーピン
３１  テーパーカム
３６  摺動カム
３７  摺動筒ばね
４３  掛止ピン
４４  芯タンクばね
４５  送りチャック部
４６  押圧端
４９  芯
５２  残芯
【図１】
0006001907.tif 000002
【図２】
0006001907.tif 000003
【図３】
0006001907.tif 000004
【図４】
0006001907.tif 000005
【図５】
0006001907.tif 000006
【図６】
0006001907.tif 000007
【図７】
0006001907.tif 000008
【図８】
0006001907.tif 000009
【図９】
0006001907.tif 000010
【図１０】
0006001907.tif 000011
【図１１】
0006001907.tif 000012
【図１２】
0006001907.tif 000013
【図１３】
0006001907.tif 000014
【図１４】
0006001907.tif 000015
【図１５】
0006001907.tif 000016
【図１６】
0006001907.tif 000017
【図１７】
0006001907.tif 000018
【図１８】
0006001907.tif 000019